Podtech/llm-jp-corpus-v4-ja_patent huggingface dataset:
【手続補正書】
【提出日】平成16年5月7日(2004.5.7)
【手続補正１】
【補正対象書類名】明細書
【補正対象項目名】発明の名称
【補正方法】変更
【補正の内容】
【発明の名称】水溶性ガラス繊維
【手続補正２】
【補正対象書類名】明細書
【補正対象項目名】特許請求の範囲
【補正方法】変更
【補正の内容】
【特許請求の範囲】
【請求項１】  Ｐ2Ｏ5：４５〜５５モル％；
ＣａＯ：２５〜３０モル％；
ＭｇＯ：１８〜２２モル％；
ＺｎＯ：０〜１０モル％；及び
総量５モル％以下のアルカリ金属化合物または他の化合物を含有することを特徴とする水溶性ガラス繊維。
【請求項２】  最大２モル％のアルカリ金属化合物を含有することを特徴とする請求項１に記載の水溶性ガラス繊維。
【請求項３】  アルカリ金属化合物のみとしてＮａ2Ｏおよび／またはＫ2Ｏを４モル％以下含有することを特徴とする請求項１または２に記載の水溶性ガラス繊維。
【請求項４】  アルカリ金属化合物のみとしてＮａ2Ｏおよび／またはＫ2Ｏを２モル％以下含有することを特徴とする請求項３に記載の水溶性ガラス繊維。
【請求項５】  アルカリ金属化合物を含まないことを特徴とする請求項１〜４のいずれかに記載の水溶性ガラス繊維。
【請求項６】  ５モル％以下の銀イオン放出化合物を含有することを特徴とする請求項１〜５のいずれかに記載の水溶性ガラス繊維。
【請求項７】  約５５０℃の融点を有することを特徴とする請求項１〜６のいずれかに記載の水溶性ガラス繊維。
【請求項８】  ガラスウール用であることを特徴とする請求項１〜７のいずれに記載の水溶性ガラス繊維。
【請求項９】  Ａｇ2ＯまたはＡｇ2Ｏ3を５モル％以下含有することを特徴とする請求項１〜８のいずれかに記載の水溶性ガラス繊維。
【手続補正３】
【補正対象書類名】明細書
【補正対象項目名】０００１
【補正方法】変更
【補正の内容】
【０００１】
本発明は水溶性ガラス繊維に関する
【手続補正４】
【補正対象書類名】明細書
【補正対象項目名】００１３
【補正方法】変更
【補正の内容】
【００１３】
本発明の水溶性ガラス繊維を形成するガラス組成物はガラス形成剤（通常は五酸化リン）とアルカリ土類金属化合物からなる。好ましくは、アルカリ金属（グループＩ）元素またはそれらを含む化合物は含まない。しかし、ごく少量（１−２モル％、５モル％以下）はガラスの溶解速度を調整するのに有効である。このアルカリ金属化合物の少量の存在または非存在は現在入手できる水溶性ガラス組成物と明確な差となる。この中ではアルカリ金属化合物とはグループＩа（Ｌｉ，Ｎａ，Ｋ，Ｒｂ，ＣｓとＦｒ）の化合物のことをいい、アルカリ土類金属化合物とはグループＩＩａの（Ｂｅ，Ｍｇ，Ｃａ，Ｓｒ，Ｂａ，Ｒａ）の化合物のことをいう。
【手続補正５】
【補正対象書類名】明細書
【補正対象項目名】００１４
【補正方法】変更
【補正の内容】
【００１４】
このように、本発明はガラス形成剤および少なくとも一つのアルカリ土類金属化合物から形成される水溶性ガラス繊維を提供し、前記ガラス繊維が最大５モル％のアルカリ金属化合物を含有することに特徴を有する。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】変更
【補正の内容】
【００２３】
典型的な組成は
Ｐ2Ｏ5：４５〜５５モル％；
ＣａＯ：２５〜３０モル％；
ＭｇＯ：１８〜２２モル％；
ＺｎＯ：０〜１０モル％；そして
総量５モル％以下のＡｇ２Ｏ，Ｎａ２Ｏ、Ｋ２Ｏ等の他の添加化合物を含有する。
【手続補正書】
【提出日】平成17年3月18日(2005.3.18)
【手続補正１】
【補正対象書類名】明細書
【補正対象項目名】特許請求の範囲
【補正方法】変更
【補正の内容】
【特許請求の範囲】
【請求項１】  (ａ)  環化、加水分解および変色を受けやすいキナプリル関連構造を有するＡＣＥ阻害剤の適当な量より成る薬剤成分、
(ｂ)  酸化マグネシウムより成る環化および変色を遅延させるための適当な量の安定化剤、および
(ｃ)  該阻害剤の加水分解を阻止するための適当な量の加水分解最小化剤、
を含有する医薬組成物。
【請求項２】  （ａ）がキナプリルまたはその薬学的に受容できる酸付加塩である、請求項１に記載の組成物。
【請求項３】  （ａ）が少なくとも１種のさらに別の薬剤を含有する、請求項１に記載の組成物。
【請求項４】  酸化マグネシウムが組成物中に存在する唯一のアルカリ土類金属塩である、請求項１に記載の組成物。
【請求項５】  （ｂ）が製剤の全重量当たり１％ないし９０％の酸化マグネシウムを含有する、請求項１に記載の組成物。
【請求項６】  （ｃ）がマンニトールおよびラクト−スのうちの少なくとも1つを含有する、請求項１に記載の組成物。
【請求項７】  結合剤、崩解剤および潤滑剤より成る群から選択される少なくとも１つの物質をも含有する、請求項１に記載の組成物。
【請求項８】  加水分解最小化剤が糖類である、請求項１に記載の組成物。
【請求項９】  (ａ) 式Ｉ
【化１】
2002516881.tif 000001
［式中、Ａは、存在しないか、５−、６−または７−員の縮合脂環式環または縮合ベンゼ
ン環（この環は、置換されていないかまたは、１〜４個の炭素原子を有する１または２個のアルコキシ基によって置換されている）であり；ｎは、０または１であり；そしてＲは、水素または１ないし５個の炭素原子を有するアルキルである］の化合物、またはその薬学的に受容できる酸付加塩；（ｂ）酸化マグネシウムより成る環化および変色を遅延させるための適当な量の安定化剤；および（ｃ）加水分解を阻止するための適当な量の糖類を含有する医薬組成物。
【請求項１０】  Ａが、存在しないか、５−または６−員の縮合脂環式環または縮合ベンゼン環（この環は、置換されていないかまたは２個のメトキシ基によって置換されている）であり；ｎが０または１であり；そしてＲが水素またはエチルであるか、またはその薬学的に受容できる酸付加塩である、請求項９に記載の組成物。
【請求項１１】  （ａ）がキナプリル塩酸塩である、請求項９に記載の組成物。
【請求項１２】  請求項１に記載の組成物を含有する錠剤。
【請求項１３】  請求項１１に記載の組成物を含有する錠剤。
【請求項１４】  キナプリル関連構造を有するＡＣＥ阻害薬剤を環化に対して安定化させる方法であって、該薬剤を：
(ａ)  環化を遅延させるための適当な量の酸化マグネシウム（ここで、酸化マグネシウムは主安定化剤である）、および
(ｂ)  １種以上の糖類
と接触させる工程より成る方法。
【請求項１５】  薬剤がキナプリル、エナラプリルおよびインドラプリル、またはその薬学的に受容できる酸付加塩からなる群より選択される、請求項１４に記載の方法。
【請求項１６】  さらにまた、次の工程：
適当な量のＡＣＥ阻害剤、加水分解最小化剤および酸化マグネシウムを一緒にブレンドすること；
顆粒化流体をこのブレンドに加えて湿潤塊を形成させること；
顆粒を乾燥させること；および
顆粒を薬学的に不活性な賦形剤とブレンドすること
を包含する、請求項１４に記載の方法。
【請求項１７】  さらにまた、次の工程：
薬学的に不活性な賦形剤の添加前に、乾燥した顆粒を１回スクリーニングすること
を包含する、請求項１６に記載の方法。
【手続補正書】
【提出日】平成15年7月11日(2003.7.11)
【手続補正１】
【補正対象書類名】明細書
【補正対象項目名】特許請求の範囲
【補正方法】変更
【補正の内容】
【特許請求の範囲】
【請求項１】
以下の式Ｉ：
【化１０１】
2002516900.tif 000001
を有する化合物並びに医薬的に受容可能なその塩、溶媒和物及び結晶形。
【請求項２】
請求項１に記載の化合物を調製する方法であって、以下の式ＩＩ：
【化１０２】
2002516900.tif 000002
［式中、Ａはキラル補助基又は−ＯＲｐ基であり、ここでＲｐは保護基である。］
の化合物を転換することを特徴とし、その後所望する場合は、得られた化合物を、医薬的に受容可能なその塩、及び／又は水和物のような溶媒和物に転換する方法。
【請求項３】
請求項１に記載の化合物を調製する方法であって、以下の式ＩＩＩ：
【化１０３】
2002516900.tif 000003
の化合物を、以下の式ＩＶ：
【化１０４】
2002516900.tif 000004
［式中、Ａは−ＯＨ、キラル補助基又は−ＯＲｐ基であり、ここでＲｐは保護基であり、Ｘは−ＯＨ又は脱離基であり、そしてＱはＨである。］
の化合物と反応させ、その後必要な場合は、得られた化合物を加水分解することを特徴とし、その後所望する場合は、得られた化合物を、医薬的に受容可能なその塩、及び／又は水和物のような溶媒和物に転換する方法。
【請求項４】
請求項１に記載の化合物を調製する方法であって、以下の式Ｖの化合物：
【化１０５】
2002516900.tif 000005
［式中、Ｑは−ＣＨ２ＣＨ２Ｐｈ−４−ＯＳＯ２ＣＨ３であり、そしてＡはキラル補助基である。］
をジアステレオ異性体的に分離し、その後得られた化合物を加水分解することを特徴とし、その後所望する場合は、得られた化合物を、医薬的に受容可能なその塩、及び／又は水和物のような溶媒和物に転換する方法。
【請求項５】
請求項１に記載の化合物を調製する方法であって、以下の式Ｖ：
【化１０６】
2002516900.tif 000006
［式中、Ｑは−ＣＨ２ＣＨ２Ｐｈ−４−ＯＳＯ２ＣＨ３であり、そしてＡは−ＯＨ又は−ＯＲｐであり、ここで−Ｒｐは保護基である。］
の化合物を鏡像異性体的に分離し、その後必要な場合は、得られた化合物を加水分解することを特徴とし、その後所望する場合は、得られた化合物を、医薬的に受容可能なその塩、及び／又は水和物のような溶媒和物に転換する方法。
【請求項６】
請求項１に記載の化合物を調製する方法であって、以下の式ＶＩＩ：
【化１０７】
2002516900.tif 000007
［式中、Ｑは−ＣＨ２ＣＨ２Ｐｈ−４−ＯＳＯ２ＣＨ３であり、そしてＡは−ＯＨ、キラル補助基又は−ＯＲｐ基であり、ここで−Ｒｐは保護基である。］
の化合物を不斉還元し、その後必要な場合は、得られた化合物を加水分解することを特徴とし、その後所望する場合は、得られた化合物を、医薬的に受容可能なその塩、及び／又は水和物のような溶媒和物に転換する方法。
【請求項７】
請求項１に記載の化合物を調製する方法であって、以下の式ＸＩＩ：
【化１０８】
2002516900.tif 000008
［式中、Ｑは−ＣＨ２ＣＨ２Ｐｈ−４−ＯＳＯ２ＣＨ３であり、そしてＡは−ＯＨ、キラル補助基又は−ＯＲｐ基であり、ここで−Ｒｐは保護基である。］
の化合物をアルキル化し、その後必要な場合は、得られた化合物を加水分解することを特徴とし、その後所望する場合は、得られた化合物を、医薬的に受容可能なその塩、及び／又は水和物のような溶媒和物に転換する方法。
【請求項８】
請求項１に記載の化合物を調製する方法であって、以下の式ＸＶ：
【化１０９】
2002516900.tif 000009
の化合物を以下の式ＩＸ：
【化１１０】
2002516900.tif 000010
［式中、Ｘは脱離基であり、Ｑは−ＣＨ２ＣＨ２Ｐｈ−４−ＯＳＯ２ＣＨ３であり、そしてＡは産物にキラル性を誘導するために使用されるキラル補助基である。］
の化合物と反応させ、その後得られた化合物を加水分解することを特徴とし、その後所望する場合は、得られた化合物を、医薬的に受容可能なその塩、及び／又は水和物のような溶媒和物に転換する方法。
【請求項９】
請求項１に記載の化合物を調製する方法であって、以下の式Ｉｒａｃ：
【化１１１】
2002516900.tif 000011
のラセミ体を分割することを特徴とし、その後所望する場合は、得られた化合物を、医薬的に受容可能なその塩、及び／又は水和物のような溶媒和物に転換する方法。
【請求項１０】
治療に使用するための、請求項１に記載の化合物。
【請求項１１】
有効成分として請求項１に記載の化合物を、所望により医薬的に受容可能な担体、賦形剤及び／又は希釈剤と共に含む、医薬製剤。
【請求項１２】
インスリン抵抗性に伴なう臨床状態の予防及び／又は治療のための薬剤の製造における、請求項１に記載の化合物の使用。
【請求項１３】
前記インスリン抵抗性に伴なう臨床状態の予防及び／又は治療が、そのような状態の異常脂質血症（ｄｙｓｌｉｐｉｄａｅｍｉａ）の予防及び／又は治療である、請求項１２に記載の使用。
【請求項１４】
前記インスリン抵抗性に伴なう臨床状態の予防及び／又は治療が、インスリン非依存性糖尿病の高血糖症の予防及び／又は治療である、請求項１２に記載の使用。
【請求項１５】
有効成分が請求項１に記載の化合物である、インスリン抵抗性に伴なう臨床状態の予防及び／又は治療に使用するための医薬製剤。
【手続補正書】
【提出日】平成15年12月9日(2003.12.9)
【手続補正１】
【補正対象書類名】明細書
【補正対象項目名】特許請求の範囲
【補正方法】変更
【補正の内容】
【特許請求の範囲】
【請求項１】
標的遺伝子のセンスRNAフラグメントおよび該標的遺伝子のアンチセンスRNAフラグメントを植物細胞内に挿入することを含み、該センスRNAフラグメントおよび該アンチセンスRNAフラグメントが二本鎖RNA分子を形成できるものである、植物細胞内の標的遺伝子の発現を変える方法。
【請求項２】
該RNAフラグメントが二つの異なるRNA分子に包含されている、請求項１記載の方法。
【請求項３】
該RNAフラグメントが一つのRNA分子に包含されている、請求項１記載の方法。
【請求項４】
RNA分子が、その中に包含されるRNAフラグメントが二本鎖領域を形成するように折りたたむことができる、請求項３記載の方法。
【請求項５】
植物細胞内に、該細胞内で標的遺伝子のセンスRNAフラグメントを発現できる第１DNA配列、および該細胞内で標的遺伝子のアンチセンスRNAフラグメントを発現できる第２DNA配列を挿入することを含み、該センスRNAフラグメントおよび該アンチセンスRNAフラグメントが、二本鎖RNA分子を形成できるものである、植物細胞内の標的遺伝子の発現を変える方法。
【請求項６】
該標的遺伝子が該植物細胞の必須遺伝子である、請求項５記載の方法。
【請求項７】
該標的遺伝子が該植物細胞のゲノムに安定に組み込まれた異種遺伝子である、請求項５記載の方法。
【請求項８】
異種遺伝子が、染色体外分子として該植物細胞内に存在する、請求項７記載の方法。
【請求項９】
該第１DNA配列および該第２DNA配列が該植物細胞のゲノム内に安定に組み込まれている、請求項５記載の方法。
【請求項１０】
該第１DNA配列および該第２DNA配列が二つの異なるDNA分子に包含されている、請求項５記載の方法。
【請求項１１】
該DNA分子が更に該第１DNA配列に作動可能に連結した第１プロモーターおよび該第２DNA配列に作動可能に連結した第２プロモーターを含む、請求項１０記載の方法。
【請求項１２】
該第１DNA配列および該第２DNA配列が一つのDNA分子内に包含される、請求項５記載の方法。
【請求項１３】
該第１DNA配列および該第２DNA配列が、該DNA分子の同じDNA鎖に包含される、請求項１２記載の方法。
【請求項１４】
該センスRNAフラグメントおよび該アンチセンスRNAフラグメントが一つのRNA分子として発現される、請求項１３記載の方法。
【請求項１５】
該RNA分子が、その中に包含されるRNAフラグメントが二本鎖領域を形成するように折りたたむことができる、請求項１４記載の方法。
【請求項１６】
該DNA分子が更に該第１または該第２DNA配列に作動可能に連結したプロモーターを含む、請求項１４記載の方法。
【請求項１７】
該プロモーターが天然標的遺伝子の天然プロモーター、異種プロモーター、構成的プロモーター、誘導性プロモーター、組織特異的プロモーターまたは発達的に調節されるプロモーターである、請求項１６記載のプロモーター。
【請求項１８】
該DNA分子が更に該センスRNAフラグメントと該アンチセンスRNAフラグメントの間にリンカーを含む、請求項１２記載の方法。
【請求項１９】
該リンカーが選択可能マーカー遺伝子のような機能的遺伝子を含む発現カセットを含む、請求項１８記載の方法。
【請求項２０】
該リンカーが、イントロンプロセシングシグナルのような調節性配列を含む、請求項１８記載の方法。
【請求項２１】
該センスRNAフラグメントおよび該アンチセンスRNAフラグメントが二つのRNA分子として発現される、請求項１３記載の方法。
【請求項２２】
該第１DNA配列が第１プロモーターに作動可能に連結され、該第２DNA配列が第２プロモーターに作動可能に連結している、請求項２１記載の方法。
【請求項２３】
該第１DNA配列および該第２DNA配列が二方向プロモーターに作動可能に連結している、請求項２１記載の方法。
【請求項２４】
該第１DNA配列および該第２DNA配列が該DNA分子の相補的鎖に包含されている、請求項１２記載の方法。
【請求項２５】
該第１DNA配列が、該DNA分子内の該第２DNA配列の相補的DNA鎖である、請求項２４記載の方法。
【請求項２６】
該DNA分子が更に、該第１DNA配列に作動可能に連結した第１プロモーターを含む、請求項２４記載の方法。
【請求項２７】
該DNA分子が更に、第１部位特異的組換え部位を該第１プロモーターと該第１DNA配列の間に、および第２部位特異的組換え部位を該第１DNA配列の３'末端に含み、部位特異的リコンビナーゼの存在下、該第１および第２部位特異的組換え部位が該第１および該第２部位特異的組換え部位の間の該第１DNA配列を逆転することができる、請求項２６記載の方法。
【請求項２８】
逆転の結果として、該第１プロモーターが該第２DNA配列を発現できる、請求項２７記載の方法。
【請求項２９】
該植物細胞が、更に該部位特異的組換え部位を認識できる部位特異的リコンビナーゼを含む、請求項２７記載の方法。
【請求項３０】
該DNA分子が更に該第２DNA配列に作動可能に連結した第２プロモーターを含む、請求項２６記載の方法。
【請求項３１】
標的遺伝子のセンスRNAフラグメントを発現できる第１DNA配列、および標的遺伝子のアンチセンスRNAフラグメントを発現できる第２DNA配列を含み、該DNA配列が発現されたとき、該センスRNAフラグメントおよび該アンチセンスRNAフラグメントは二本鎖RNA分子を形成でき、該植物細胞内での該標的遺伝子の発現が変えられるものである、植物細胞。
【請求項３２】
請求項３１記載の植物細胞由来の植物およびその子孫。
【請求項３３】
請求項３２記載の植物由来の種子。
【請求項３４】
植物細胞内に標的遺伝子のセンスRNAフラグメントを発現できる第１DNA配列、および該細胞内で標的遺伝子のアンチセンスRNAフラグメントを発現できる第２DNA配列を挿入することにより得られ、該センスRNAフラグメントおよび該アンチセンスRNAフラグメントが二本鎖RNA分子を形成できるものである、植物細胞。
【手続補正２】
【補正対象書類名】明細書
【補正対象項目名】０００５
【補正方法】変更
【補正の内容】
【０００５】
本発明は、更に以下のものを提供する：
植物細胞内に、該細胞内で標的遺伝子のセンスRNAフラグメントを発現できる第１DNA配列、および該細胞内で標的遺伝子のアンチセンスRNAフラグメントを発現できる第２DNA配列を挿入することを含み、該センスRNAフラグメントおよび該アンチセンスRNAフラグメントは二本鎖RNA分子を形成でき、該標的遺伝子の該植物細胞内での発現が変更される。好ましい態様において、DNA配列は植物細胞のゲノムに安定に統合される（組み込まれる）。好ましい態様において、DNA分子は更に該第１または該第２DNA配列に操作可能に（作動可能に）結合した（連結した）プロモーターを含む。他の好ましい態様において、第１DNA配列および第２DNA配列は二つの異なるDNA分子内に包含される。
【手続補正書】
【提出日】平成17年3月24日(2005.3.24)
【手続補正１】
【補正対象書類名】特許請求の範囲
【補正対象項目名】全文
【補正方法】変更
【補正の内容】
【特許請求の範囲】
【請求項１】
神経糸タンパク質の種類のアミノ酸配列の一部分に該当する少なくとも一つのアミノ酸配列を含むＮＴＰペプチド。
【請求項２】
神経糸タンパク質ＡＤ７Ｃ−ＮＴＰのアミノ酸配列の一部分に該当する少なくとも一つのアミノ酸配列を含むＮＴＰペプチド。
【請求項３】
ＳＥＱ  ＩＤ  ＮＯ．１０〜５２から成る群より選択される少なくとも一つのアミノ酸配列を含むＮＴＰペプチド。
【請求項４】
請求項１〜３のいずれか１項に記載の少なくとも一つのＮＴＰペプチドおよびそのための担体を含む組成物。
【請求項５】
請求項１〜３のいずれか１項に記載のＮＴＰペプチドのホモログ、誘導体、フラグメントまたは変異体を含むペプチド。
【請求項６】
請求項１〜３のいずれか１項に記載のＮＴＰペプチドのアミノ酸配列に基づく逆Ｄオーダーのアミノ酸を含むペプチド。
【請求項７】
ペプチドの３’末端かまたは５’末端に隣接する１〜２５個の追加のアミノ酸で修飾された請求項１〜３のいずれか１項に記載のＮＴＰペプチドを含むペプチド。
【請求項８】
互いに融合している請求項１〜３のいずれか１項に記載の少なくとも二つのＮＴＰペプチドを含むペプチド。
【請求項９】
請求項１〜３のいずれか１項に記載のＮＴＰペプチドの少なくとも二つの反復を含むペプチド。
【請求項１０】
請求項１〜３のいずれか１項に記載のＮＴＰペプチドの模擬体。
【請求項１１】
抗体、抗体のフラグメントまたは抗体様分子に融合した請求項１〜３のいずれか１項に記載のＮＴＰペプチドを含むペプチド。
【請求項１２】
請求項１〜３のいずれか１項に記載のＮＴＰペプチドに該当するアミノ酸配列をエンコードしている核酸。
【請求項１３】
請求項１２に記載の１個またはそれを超える核酸およびそのための薬学的に許容しうる担体を含む組成物。
【請求項１４】
哺乳動物の細胞の除去または破壊を必要とする状態を処置するための医薬組成物であって、請求項１〜３のいずれか１項に記載のＮＴＰペプチドを含んでなる、前記医薬組成物。
【請求項１５】
経口、皮下、皮内、鼻腔内、静脈内、筋肉内、脊髄内、鼻腔内、腫瘍内、局所および経皮からなる群より選択される方法によって投与する、請求項１４に記載の医薬組成物。
【請求項１６】
外科的切除、移植（transplantation）、移植片接合（grafting）、化学療法、免疫療法、ワクチン接種、熱または電気剥離、寒冷療法、レーザー治療、光線療法、遺伝子治療および放射線からなる群より選択される少なくとも一つの処置での哺乳動物の処置前、中または後に、哺乳動物に投与する、請求項１４に記載の医薬組成物。
【請求項１７】
状態が、肺、乳房、胃、膵臓、前立腺、膀胱、骨、卵巣、皮膚、腎、洞、結腸、腸、胃、直腸、食道、心臓、脾臓、唾液腺、血液、脳およびその被膜、脊髄およびその被膜、筋肉、結合組織、副腎、上皮小体、甲状腺、子宮、精巣、下垂体、生殖器、肝、胆嚢、眼、耳、鼻、咽喉、扁桃、口、およびリンパ節およびリンパ系から成る群より選択される組織の良性または悪性腫瘍である、請求項１４に記載の医薬組成物。
【請求項１８】
状態が、肺、乳房、胃、膵臓、前立腺、膀胱、骨、卵巣、皮膚、腎、洞、結腸、腸、胃、直腸、食道、心臓、脾臓、唾液腺、血液、脳およびその被膜、脊髄およびその被膜、筋肉、結合組織、副腎、上皮小体、甲状腺、子宮、精巣、下垂体、生殖器、肝、胆嚢、眼、耳、鼻、咽喉、扁桃、口、およびリンパ節およびリンパ系から成る群より選択される組織の過形成、肥大または過成長である、請求項１４に記載の医薬組成物。
【請求項１９】
状態が、肺、乳房、胃、膵臓、前立腺、膀胱、骨、卵巣、皮膚、腎、洞、結腸、腸、胃、直腸、食道、心臓、脾臓、唾液腺、血液、脳およびその被膜、脊髄およびその被膜、筋肉、結合組織、副腎、上皮小体、甲状腺、子宮、精巣、下垂体、生殖器、肝、胆嚢、眼、耳、鼻、咽喉、扁桃、口、およびリンパ節およびリンパ系から成る群より選択される、ウイルス、細菌または寄生生物によって変化した組織である、請求項１４に記載の医薬組成物。
【請求項２０】
状態が、肺、乳房、胃、膵臓、前立腺、膀胱、骨、卵巣、皮膚、腎、洞、結腸、腸、胃、直腸、食道、心臓、脾臓、唾液腺、血液、脳およびその被膜、脊髄およびその被膜、筋肉、結合組織、副腎、上皮小体、甲状腺、子宮、精巣、下垂体、生殖器、肝、胆嚢、眼、耳、鼻、咽喉、扁桃、口、およびリンパ節およびリンパ系から成る群より選択される組織の奇形である、請求項１４に記載の医薬組成物。
【請求項２１】
状態が、扁桃肥大である請求項１４に記載の医薬組成物。
【請求項２２】
状態が、前立腺過形成である請求項１４に記載の医薬組成物。
【請求項２３】
状態が、組織への美容修正である請求項１４に記載の医薬組成物。
【請求項２４】
細胞が、皮膚、眼、耳、鼻、咽喉、口、筋肉、結合組織、体毛および乳房から成る群より選択される組織の細胞である、請求項１４に記載の医薬組成物。
【請求項２５】
状態が、血管性疾患である請求項１４に記載の医薬組成物。
【請求項２６】
状態が、痔疾である請求項１４に記載の医薬組成物。
【請求項２７】
状態が、拡張蛇行静脈である請求項１４に記載の医薬組成物。
【請求項２８】
血管性疾患が、アテローム性動脈硬化症または動脈硬化症である請求項２５に記載の医薬組成物。
【請求項２９】
状態が、炎症性疾患、自己免疫疾患、代謝性疾患、遺伝性／遺伝的疾患、外傷性疾患、物理的損傷、栄養欠乏性疾患、感染症、アミロイド症、線維症、蓄積症、先天性奇形、酵素欠乏性疾患、被毒（poisoning）、中毒（intoxication）、環境性疾患、放射線疾患、内分泌性疾患、変性疾患および機械的疾患から成る群の一つまたはそれを超えるものより選択される、請求項１４に記載の医薬組成物。
【請求項３０】
ＮＴＰペプチドが、抗体、抗体フラグメントおよび抗体様結合性分子から成る群より選択される分子であって、腫瘍または他の標的への結合について、他の細胞への結合より高い親和性を有する分子に抱合されている、連結しているまたは結合している、請求項１４に記載の医薬組成物。
【請求項３１】
ＮＴＰペプチドが、ペプチド、模擬体または核酸、および抗体、抗体フラグメントおよび抗体様結合性分子から成る群より選択される分子であって、腫瘍または他の標的への結合について、他の細胞への結合より高い親和性を有する分子から成る単一の新しいクローン化されたリコンビナント分子の一部分である、請求項１４に記載の医薬組成物。
【手続補正書】
【提出日】平成17年4月25日(2005.4.25)
【手続補正１】
【補正対象書類名】特許請求の範囲
【補正対象項目名】全文
【補正方法】変更
【補正の内容】
【特許請求の範囲】
【請求項１】
内部部材と、同内部部材の周囲に配置された後退可能なシースアセンブリとを備える医療装置搬送カテーテルであって、前記後退可能なシースアセンブリは、後退可能なシースと、同後退可能なシースからから延びる１個以上の滑り材とを有し、更に該滑り材は、前記後退可能なシースと前記内部部材との間に配置された医療装置搬送カテーテル。
【請求項２】
請求項１に記載の医療装置搬送カテーテルであって、複数の滑り材を備え、各滑り材は、第一滑り材材料よりなる外側層と、前記第一滑り材材料とは異なる第二滑り材材料よりなる内側層とを有し、前記内側層は、前記内部部材に面している医療装置搬送カテーテル。
【請求項３】
請求項１または２に記載の医療装置搬送カテーテルであって、前記内部部材の周囲に配置されたステントをさらに備え、該ステントの周囲に前記後退可能なシースアセンブリが配置された医療装置搬送カテーテル。
【請求項４】
請求項１乃至３のいずれか一項に記載の医療装置搬送カテーテルであって、前記後退可能なシースアセンブリは、前記後退可能なシースアセンブリの後退前、後退中、および後退後に、前記後退可能なシースと前記内部部材との間に前記すべり材が位置するように構成かつ配置されている医療装置搬送カテーテル。
【請求項５】
請求項２に記載の医療装置搬送カテーテルであって、前記第一滑り材材料は、前記第二滑り材材料よりも硬い医療装置搬送カテーテル。
【請求項６】
請求項２に記載の医療装置搬送カテーテルであって、前記第二滑り材材料の鋼材上の摩擦係数は、前記第一滑り材材料の鋼材上の摩擦係数よりも低い医療装置搬送カテーテル。
【請求項７】
請求項２に記載の医療装置搬送カテーテルであって、前記第一滑り材材料は前記第二滑り材材料よりも硬く、前記第二滑り材材料は前記第一滑り材材料よりも滑りやすい医療装置搬送カテーテル。
【請求項８】
請求項２に記載の医療装置搬送カテーテルであって、前記第一滑り材材料はポリイミド
であり、前記第二滑り材材料はＰＴＦＥである医療装置搬送カテーテル。
【請求項９】
請求項１乃至８のいずれか一項に記載の医療装置搬送カテーテルであって、複数の滑り材を備え、該滑り材は、互いに離間され、かつ互いに隣接する医療装置搬送カテーテル。
【請求項１０】
内部部材と、後退可能なシースアセンブリとを備える医療装置搬送カテーテルであって、前記後退可能なシースアセンブリは、０．００５０８ｃｍ（０．００２インチ）未満の厚さを有する医療装置搬送カテーテル。
【請求項１１】
請求項１０に記載の医療装置搬送カテーテルであって、前記後退可能なシースアセンブリは、 後退可能なシースと、同後退可能なシースに取り付けられた１個以上の滑り材と
を有し、１個以上の滑り材は前記後退可能なシースと前記内部部材との間に配置された医療装置搬送カテーテル。
【請求項１２】
請求項１０または１１に記載の医療装置搬送カテーテルであって、前記内部部材の周囲に配置されたステントをさらに備え、該ステントの周囲に前記後退可能なシースアセンブリが配置された医療装置搬送カテーテル。
【請求項１３】
請求項１０乃至１２のいずれか一項に記載の医療装置搬送カテーテルであって、複数の滑り材を備え、各滑り材は、第一滑り材材料よりなる外側層と、第二滑り材材料よりなる内側層とを有し、第一滑り材材料は第二滑り材材料よりも硬い医療装置搬送カテーテル。
【請求項１４】
請求項１３に記載の医療装置搬送カテーテルであって、前記第二滑り材材料は前記第一滑り材材料よりも滑りやすい医療装置搬送カテーテル。
【請求項１５】
請求項１０乃至１４のいずれか一項に記載の医療装置搬送カテーテルであって、複数の滑り材を備える医療装置搬送カテーテル。
【請求項１６】
内部部材と、同内部部材の周囲に配置された後退可能なシースアセンブリとを備える医療装置搬送カテーテルであって、前記後退可能なシースアセンブリは、少なくとも１．１７ＣＰａの曲げ柔軟性を有する医療装置搬送カテーテル。
【請求項１７】
請求項１６に記載の医療装置搬送カテーテルであって、前記後退可能なシースアセンブリは滑り材を有し、同滑り材は、少なくとも８４のＳｈｏｒｅ  Ｄでの硬度を有する第一滑り材材料よりなる外側層を有する医療装置搬送カテーテル。
【請求項１８】
請求項１７に記載の医療装置搬送カテーテルであって、前記滑り材は第二滑り材材料よりなる内側層を有し、かつ前記外側層と前記内部部材との間に配置された医療装置搬送カテーテル。
【請求項１９】
請求項１７または１８に記載の医療装置搬送カテーテルであって、前記後退可能なシースアセンブリは、前記滑り材の周囲に配置されたシースをさらに有し、同シースは前記滑り材に取り付けられている医療装置搬送カテーテル。
【請求項２０】
請求項１６乃至１９のいずれか一項に記載の医療装置搬送カテーテルであって、内部部材の周囲に配置されたステントをさらに有し、該ステントの周囲に前記後退可能なシースアセンブリが配置された医療装置搬送カテーテル。
【請求項２１】
請求項２０に記載の医療装置搬送カテーテルであって、前記ステントは自己拡張型である医療装置搬送カテーテル。
【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
（ａ）筐体と、
（ｂ）前記筐体内に配置された防火材とを含み、
前記筐体が、取り外し可能な帯を形成する、前記筐体を横断する少なくとも１つの脆性連結部を含む、構造物内の隔壁を貫通する通路を提供する防火装置。
【請求項２】
前記帯は、使用者が前記脆性連結部において前記帯を前記筐体から取り外すことを可能にする把持手段を提供するプルタブを含む、請求項１に記載の防火装置。
【請求項３】
前記防火材が前記筐体の内面に沿って離間して設けられている、請求項１に記載の防火装置。
【請求項４】
前記プルタブは、夫々、前記隔壁の厚さに対応する各帯における前記装置の長さを示す標印を含む、請求項２に記載の防火装置。
【手続補正書】
【提出日】平成16年1月13日(2004.1.13)
【手続補正１】
【補正対象書類名】特許請求の範囲
【補正対象項目名】全文
【補正方法】変更
【補正の内容】
【特許請求の範囲】
【請求項１】
クリップアプライアであって、以下：
駆動力を作動させる、ハンドルアセンブリ；
クリップ適用機構であって、中心の長手方向軸に沿って並進可能な供給ロッド、および該供給ロッドの並進に対して固定された部分を備え、該供給ロッドは、該供給ロッドによって配置される複数のクリップを遠位に前進させるために、該駆動力によって作動される、クリップ適用機構；ならびに
該供給ロッドに配置されたハンマーと協働可能に係合可能なアンビルであって、第一のクリップを、該中心長手方向軸を横切る適用の角度で適用するための、アンビル、
を備える、クリップアプライア。
【請求項２】
前記クリップ適用機構が、カートリッジを備える、請求項１に記載のクリップアプライア。
【請求項３】
前記クリップ適用機構が、前記カートリッジおよび前記供給ロッドに配置された、クリップを配置するための要素をさらに備える、請求項２に記載のクリップアプライア。
【請求項４】
前記ハンドルアセンブリが、前記駆動力を前記適用機構に伝達する前進機構を備える、請求項１に記載のクリップアプライア。
【請求項５】
クリップアプライアであって、以下：
前進機構を作動させる、ハンドルアセンブリ；
クリップ適用機構であって、長手方向軸の周りで回転可能であり、該ハンドルアセンブリに接続され、そして以下：
複数のクリップを保持するための複数の要素を有する、カートリッジ；
該カートリッジにスライド可能に係合された、並進可能な供給ロッドであって、該供給ロッドは、該複数のクリップを遠位に前進させるための、該供給ロッド上に配置された複数の要素を備える、供給ロッド；
アンビルを収容するアンビルチャネルであって、該アンビルは、第一のクリップを受容するように配置され、そして該供給ロッドに配置されたハンマーと係合するよう構成されている、アンビルチャネル；ならびに
該ハンドルアセンブリによって提供される駆動力であって、該複数のクリップを前進させ、そして該第一のクリップを適用するための、駆動力、
を備える、クリップ適用機構；
を備える、クリップアプライア。
【請求項６】
前記前進機構が、前記ハンドルアセンブリ内に配置されている、請求項５に記載のクリップアプライア。
【請求項７】
前記複数の要素の各要素が、２つの片持ち梁を備える、請求項５に記載のクリップアプライア。
【請求項８】
前記複数のクリップが、前記中心長手方向軸に沿って、少なくとも部分的に第一の平面内に配置されており、そして第二の平面において適用される、請求項５に記載のクリップアプライア。
【請求項９】
前記クリップが、適用の前に、約９０°回転される、請求項５に記載のクリップアプライア。
【請求項１０】
前記複数のクリップに、空のクリップのインジケータが続く、請求項５に記載のクリップアプライア。
【請求項１１】
前記クリップアプライアが、使い捨てに構成されている、請求項５に記載のクリップアプライア。
【請求項１２】
直角クリップアプライアであって、以下：
ハンドルアセンブリ；
クリップ適用機構であって、中心長手方向軸を規定し、該クリップ適用機構内に第一の位置で配置された複数のクリップを有する、クリップ適用機構；
該クリップ適用機構の供給ロッドであって、該複数のクリップを再配置するため、および第一のクリップを、該第一の位置から約９０°の角度で第二の位置で適用するために中心長手方向軸に沿って移動可能である、供給ロッド；ならびに
該ハンドルアセンブリによって提供される駆動力であって、該クリップ適用機構を前進させ、そして該第一のクリップを適用するための、駆動力、
を備える、直角クリップアプライア。
【請求項１３】
前記前進機構が、前記ハンドル内に配置されている、請求項１２に記載の直角クリップアプライア。
【請求項１４】
前記複数の要素の各要素が、前記中心長手方向軸とおよそ整列した、偏倚された２つの片持ち梁を有する、請求項１２に記載の直角クリップアプライア。
【請求項１５】
前記複数のクリップが、前記中心長手方向軸に沿って、少なくとも部分的に第一の平面内に配置されており、そして第二の平面で適用される、請求項１２に記載の直角クリップアプライア。
【請求項１６】
前記複数のクリップに、空のクリップのインジケータが続く、請求項１２に記載の直角クリップアプライア。
【請求項１７】
前記クリップ適用機構が、前記中心長手方向軸の周りで回転する、請求項１２に記載の直角クリップアプライア。
【請求項１８】
外科用クリップを適用するためのシステムであって、以下：
中心長手方向軸を有する外科用クリップアプライア；
該中心長手方向軸に沿って、第一の位置において、該クリップを供給する手段；ならびに
第一のクリップを、該中心長手方向軸を横切って第二の位置に再配置する手段、および
；
該中心長手方向軸に沿ってハンマーを並進させ、該第一のクリップを該第二の位置において適用し、該第一のクリップを組織部分に適用する手段、
を備える、システム。
【請求項１９】
前記再配置する手段が、クリップを遠位に供給する手段、およびハンドルアセンブリのレバーを第一の位置から第二の位置へと再配置する手段を備え、該再配置する手段が、前記第一のクリップの適用を作動させる、請求項１８に記載の外科用クリップを適用するためのシステム。
【請求項２０】
前記クリップを供給する手段が、供給ロッドを並進させることによって、クリップをある距離で前進させる手段を備える、請求項１８に記載の外科用クリップを適用するためのシステム。
【請求項２１】
前記供給する手段が、カートリッジを使用して、前進されたクリップを適所に保持する手段をさらに備える、請求項１８に記載の外科用クリップを適用するためのシステム。
【手続補正書】
【提出日】平成16年1月5日(2004.1.5)
【手続補正１】
【補正対象書類名】特許請求の範囲
【補正対象項目名】全文
【補正方法】変更
【補正の内容】
【特許請求の範囲】
【請求項１】
皮膚の切り込みから体液を圧出するための装置であって、前記切り込みは一つの切り込み部位に形成され、
本体と、
前記本体と接続され、対向する皮膚係合表面を画定する部材であって、前記部材は前記皮膚と接触していて、当初外側位置に位置している前記係合表面を備えた第一の状態を有しており、前記部材は前記皮膚に係合していて、絞窄内側位置に位置している前記皮膚係合表面を備えた第二の状態を有しており、外側位置から内側位置まで前記皮膚係合表面が移動すると、前記皮膚は内側に引き込まれ、前記皮膚は内側位置にある前記皮膚係合表面により絞窄されている、前記部材と
からなる装置。
【請求項２】
前記部材は第一と第二状態のあいだで変形可能な部材からなる請求項１記載の装置。
【請求項３】
前記部材は柔軟性があり、第一と第二の状態のあいだで可逆的に屈曲する請求項２記載の装置。 
【請求項４】
前記部材は、少なくとも部分的に非可逆的に変形可能である請求項２記載の装置。 
【請求項５】
前記部材は、前記対向している皮膚係合表面を画定する連続した周辺視野測定表面からなる請求項２記載の装置。
【請求項６】
前記部材は、前記皮膚係合表面を画定する円形表面からなる請求項５記載の装置。 
【請求項７】
前記部材は、別々の複数の要素からなり、それぞれの要素が皮膚係合表面を画定している請求項２記載の装置。 
【請求項８】
前記部材は、複数の別々の硬質要素からなり、それぞれの要素が皮膚係合表面を画定し、第一と第二の状態のあいだで移動可能である請求項１記載の装置。 
【請求項９】
前記切り込みから前記体液を圧出するために位置付けされた第二圧出部材をさらに含む請求項１記載の装置。
【請求項１０】
前記本体に取り付けられ、前記部材の内側に位置付けられた密封リングをさらに含み、前記密封リングは、前記皮膚が内側位置にある前記皮膚係合表面により内側に引っ込められるときに前記皮膚と接触するように位置付けられる請求項１記載の装置。
【請求項１１】
前記本体に接続され、前記部材の内側の位置にヒトの皮膚を切り込みするために位置付けられた切り込みメカニズムをさらに含む請求項１記載の装置。 
【請求項１２】
前記本体に接続されているサンプリング装置をさらに含む請求項１記載の装置。 
【請求項１３】
前記皮膚の切り込みから体液を圧出するための装置であって、前記切り込みは一つの切り込み部位に形成され、空洞を画定する本体と、
前記内側空洞に隣接している前記本体と接続され、第一および第二安定状態を有する部分を有する双安定圧出部材であって、第一安定状態にある前記部分は前記本体に対して相対的に外側に膨らんでおり、第二安定状態にある前記部分は、逆転され、前記本体の前記空洞内で受け入れられ、前記部分は外側皮膚係合表面を含み、前記外側皮膚係合表面と前記本体の前記空洞のあいだで連通している一つのアパーチュアを画定しており、前記皮膚係合表面は、前記皮膚と係合しており、前記部分が第一状態から第二状態に逆転すると、前記部材の中に前記皮膚を引き入れる、前記双安定圧出部材とを含む装置。
【請求項１４】
前記部材は、前記皮膚に対して前記部材を押し付ける際に、第一状態から第二状態に自動的に逆転するように構成される請求項１３記載の装置。
【請求項１５】
前記本体は、リング形状端部表面を含む円筒形部分からなり、前記部材が、前記円筒形端部部分に係留されている円形リムを含む半球形部材からなる請求項１３記載の装置。
【請求項１６】
前記部材の前記外側皮膚係合表面は、前記部材が第一状態から第二状態に逆転すると、前記皮膚に係合するための複数の突出部を含む請求項１３記載の装置。 
【請求項１７】
前記皮膚の切り込みから体液を圧出するための装置であって、前記切り込みは、一つの切り込み部位で形成され、
本体と、
前記本体と接続され、対向する皮膚係合表面を画定する変形可能な部分を含む部材であって、前記部材は、前記皮膚と接触していて、第一位置に位置している上記皮膚係合表面を備えた第一状態を有しており、当該部材は、前記皮膚に係合していて第一位置から移動させた第二位置にある前記皮膚係合表面を備えた第二状態を有しており、前記変形可能な部分は、前記皮膚に対して前記部材を押し付ける際に、第一位置から第二位置に変形するように構成されており、前記部材の第一状態は前記皮膚と接触している前記部材に対応しており、前記部材の第二状態は前記皮膚に対して押し付けられている前記部材に対応しており、前記部材が第一位置から第二位置に変形するのに充分な量である装置。
【請求項１８】
前記変形可能な部分は柔軟性があり、第一位置と第二位置のあいだで可逆的に屈曲する請求項１７記載の装置。 
【請求項１９】
前記本体に接続されているサンプリング装置をさらに含む請求項１７記載の装置。
【請求項２０】
前記本体に接続され、前記サンプリング装置と流体連通しているテストシステムをさらに含む請求項１７記載の装置。
【請求項２１】
前記本体と接続され、前記部材の内側位置でヒトの皮膚を切り込みするように位置付けられている切り込みメカニズムをさらに含む請求項１７記載の装置。
【手続補正書】
【提出日】平成17年1月21日(2005.1.21)
【手続補正１】
【補正対象書類名】特許請求の範囲
【補正対象項目名】請求項１
【補正方法】変更
【補正の内容】
【請求項１】
供給源内に収容されたガス状、ガス媒介又は液滴状物質のための投与装置において、
マウスピースを有する本体と、
物質供給源のための本体内にある接合部と、そして
物質を含み又は該物質からなるガス又は液体の放出を制御するための呼吸作動可能バルブとからなり、
さらに該バルブは、
前記ガス又は液体を受容するための可撓性チューブであって、接合部に連結されたバルブ入口から延設され、バルブの閉鎖のために折れ曲がり可能であり且つバルブの開放のためにチューブが非折れ曲がり状態にある開放位置に移動可能である部分を有する可撓性チューブと、そして
吸入時にバルブを非折れ曲がり状態にするように本体内を移動するために配設された出口部材とからなり、
該チューブは、出口可動部材が準備位置にある時は閉塞する程度まで折れ曲がり状態にされると共に、出口可動部材がガス又は液体の放出のための吸入に際して移動させられる時には非折れ曲がり状態にされ、
さらに、投与装置は、
出口可動部材を、吸入に先立って折り曲げによりチューブを閉鎖する準備位置に保持する留め具と、
吸入時に移動して、留め具を開放すると共に出口可動部材をガス又は液体の放出のために移動させるように本体内に配設された呼吸作動フラップとを含むことを特徴とする投与装置。
【手続補正２】
【補正対象書類名】特許請求の範囲
【補正対象項目名】請求項２
【補正方法】変更
【補正の内容】
【請求項２】
請求項１に記載の投与装置において、接合部が、物質の放出のための供給源の押し下げ時に供給源と共に限定的に移動するために、本体内に移動可能に配設され、本体が、接合部上の突起が係合する溝を有している投与装置。
【手続補正３】
【補正対象書類名】明細書
【補正対象項目名】０００６
【補正方法】変更
【補正の内容】
【０００６】
本発明によれば、供給源内に収容されたガス状、ガス媒介又は液滴状物質のための投与装置が提供される。
前記投与装置は、「私の初期の呼吸作動式屈曲バルブ投与装置」と同様に、
マウスピースを有する本体と、
物質供給源のための本体内にある接合部と、そして
物質を含み又は該物質からなるガス又は液体の放出を制御するための呼吸作動可能バルブとからなり、
さらに該バルブは、
前記ガス又は液体を受容するための可撓性チューブであって、接合部に連結されたバルブ入口から延設され、バルブの閉鎖のために折れ曲がり可能であり且つバルブの開放のためにチューブが非折れ曲がり状態にある開放位置に移動可能である部分を有する可撓性チューブと、そして
吸入時にバルブを非折れ曲がり状態にするように本体内を移動するために配設された出口部材とからなり、
該チューブは、出口可動部材が準備位置にある時は閉塞する程度まで折れ曲がり状態にされると共に、出口可動部材がガス又は液体の放出のための吸入に際して移動させられる時には非折れ曲がり状態にされるようにしたものであるが、
さらに、投与装置は、
出口可動部材を、吸入に先立って折り曲げによりチューブを閉鎖する準備位置に保持する留め具と、
吸入時に移動して、留め具を開放すると共に出口可動部材をガス又は液体の放出のために移動させるように本体内に配設された呼吸作動フラップとを含むものである。
【手続補正４】
【補正対象書類名】明細書
【補正対象項目名】００１８
【補正方法】変更
【補正の内容】
【００１８】
略Ｕ形フラップ部材３１が、缶体と受容器成形体の間に設けられ、該Ｕ形部の中心に分配出口４が配置され、該フラップ部材の端部には開口した垂下ラグ３２が設けられている。ラグは、本体の壁内のピン３３と係合している。フラップ３１と共に複合的に成形された弾性の下方フラップ３４が、本体のマウスピースと反対側の壁上の突起部３５と当接され、それによって、フラップ３１は、缶体が真っ直ぐ垂直に立っているときに幾分上方に配向される。ラグ３２を越えたところで、Ｕ形部は、そのアーム端部に一対のリップ３６を有する。これらは、一組の留め具として垂下している。投与装置からの吸入が、空気をフラップの周囲に逃がしながら、フラップを弾性フラップ３４の弱い力に抗して下方に押し下げるようにフラップは配設されている。
【手続補正５】
【補正対象書類名】明細書
【補正対象項目名】００２１
【補正方法】変更
【補正の内容】
【００２１】
投与装置の動作は次のように行われる。
使用中に、患者は、缶体３を本体１内に押し下げる。この動作は、分配口４を受容器成形体５に向けて加圧する。後者の受容器成形体は、主反動スプリング２５、２６に抗する方向に移動させられる。ここにおける圧縮がその目標レベルに到達するとき、一回の服用分が屈曲バルブのチューブ２１内に放出され、屈曲バルブは折り曲がり状態にあって服用分を保持する。
【手続補正６】
【補正対象書類名】明細書
【補正対象項目名】００２３
【補正方法】変更
【補正の内容】
【００２３】
缶体の押し下げに先立って、フラップ３１はそのスプリング３４により支持されている。押し下げ時に、フラップは、缶体のバルブ本体により、それ自体幾分押し下げられ、その結果として留め具がリップにより係合される位置を取ることになる。缶体の最終の押し下げは、フィンガ４２に開口端４６を通過させて、出口部材上方に開放させる。投与装置は、ここにおいて、一回の服用分を屈曲バルブにより保持させると共にその機構を放出準備状態にさせて用意されている。
【手続補正７】
【補正対象書類名】図面
【補正対象項目名】図１
【補正方法】変更
【補正の内容】
【図１】
2004534563.tif 000001
【手続補正書】
【提出日】平成17年3月23日(2005.3.23)
【手続補正１】
【補正対象書類名】特許請求の範囲
【補正対象項目名】全文
【補正方法】変更
【補正の内容】
【特許請求の範囲】
【請求項１】
アセタールホモポリマー樹脂でできた射出成形歯冠。
【請求項２】
垂れ下がった側面が形成されている請求項１記載の射出成形歯冠。
【請求項３】
前記垂れ下がった側面の少なくとも１つの面はアンダーカット部を有する請求項２記載の射出成形歯冠。
【請求項４】
前記垂れ下がった側面は弾性を有する請求項２または請求項３記載の射出成形歯冠。
【請求項５】
複数要素の型を提供する工程と、
前記複数要素の型を用いて、アセタールホモポリマー樹脂から歯冠を射出成形する工程と、
を有する歯冠の大量生産方法。
【請求項６】
前記複数要素の型はイジェクタを有し、
前記イジェクタを動作させて、前記複数要素の型を開いた後に成形歯冠を排出する工程、
をさらに有する請求項５記載の方法。
【請求項７】
複数要素の型を用いる前記工程は、垂れ下がった側面を有する前記歯冠を形成する工程を含む請求項５または請求項６記載の方法。
【請求項８】
前記垂れ下がった側面の少なくとも１つの面はアンダーカット部を有する請求項７記載の方法。
【請求項９】
前記垂れ下がった側面は弾性を有する請求項７または請求項８記載の方法。
【請求項１０】
歯の形に成形された上面と、
少なくとも１つの面がアンダーカット部を有する垂れ下がった側面と、
を有する歯冠。
【請求項１１】
前記側面は弾性を有する請求項１０記載の歯冠。
【請求項１２】
アセタールホモポリマー樹脂でできた請求項１０または請求項１１記載の歯冠。
【請求項１３】
前記アセタールホモポリマー樹脂はポリオキシメチレン熱可塑性ホモポリマーを有する請求項１２記載の歯冠。